(57)【要約】  【課題】  【解決手段】本発明は、１以上の長手方向の曲線を有する改良されたマニキュアまたはペディキュア装置に関する。この曲線は、利用者が、技術、時間、集中力、器用さ、ならびに作業するのに要する装置およびまたは爪の回転を抑えて湾曲した爪を形成するように設計されている。さらに、マニキュアまたはペディキュア装置の美観および人間工学も改良されている。【選択図】図２ａ
2008517689.tif 000002
【特許請求の範囲】
【請求項１】
長手方向に湾曲したネイル処理面を具えることを特徴とするマニキュアまたはペディキュア装置。
【請求項２】
請求項１に記載の装置において、第１の面の第１のネイル処理面と、第２の面の第２のネイル処理面とを具えることを特徴とする装置。
【請求項３】
請求項１または２のいずれか１項に記載のマニキュアまたはペディキュア装置であって、長さと幅の比が少なくとも均一である伸長形状と、少なくとも一つの研磨面と、長手方向の軸に沿って湾曲した少なくとも一つの範囲とを具えることを特徴とするマニキュアまたはペディキュア装置。
【請求項４】
請求項３に記載のマニキュアまたはペディキュア装置において、長手方向に湾曲した面の少なくとも一つが、半径が０から１０００ｍｍである湾曲部を有することを特徴とするマニキュアまたはペディキュア装置。
【請求項５】
請求項３または４のいずれか１項に記載のマニキュアまたはペディキュア装置において、前記少なくとも一つ湾曲したの範囲の湾曲部の半径が、ほぼ直線の長さ範囲と、一方の長手方向に湾曲した他の範囲と、長手方向の反対側に湾曲したさらに別の範囲をなすよう前記長手方向の軸に沿った異なる位置で異なることを特徴とするマニキュアまたはペディキュア装置。
【請求項６】
請求項１乃至５のいずれか１項に記載のマニキュアまたはペディキュア装置であって、前記長手方向の軸に垂直な軸に沿って湾曲した範囲を少なくとも一つ有することを特徴とするマニキュアまたはペディキュア装置。
【請求項７】
請求項１乃至６のいずれか１項に記載のマニキュアまたはペディキュア装置であって、前記長手方向の軸を中心に捻れた範囲を少なくとも一つ具えることを特徴とするマニキュアまたはペディキュア装置。
【請求項８】
請求項１乃至７のいずれか１項に記載のマニキュアまたはペディキュア装置において、断面形状が前記長手方向の軸に沿って異なっており、当該異なる形状には、矩形、三角形、半球形または部分的に半球形の範囲、およびある断面形状が他の断面形状に変わるときに作られる他の形状が含まれることを特徴とするマニキュアまたはペディキュア装置。
【請求項９】
請求項１乃至８のいずれか１項に記載のマニキュアまたはペディキュア装置において、人間工学、美観、および作業を容易にする機能を促進すべく、当該装置全体の形状が、非対称であり、あるいは非対称な形状の範囲を含んでいることを特徴とするマニキュアまたはペディキュア装置。
【請求項１０】
請求項１乃至９のいずれか１項に記載のマニキュアまたはペディキュア装置において、マニキュアまたはペディキュアの他の機能を促進すべく、前記ペディキュア装置の近位端および遠位端が、尖頭、フック、または複雑な曲線形状などの局所的な幾何学形状であることを特徴とするマニキュアまたはペディキュア装置。
【請求項１１】
請求項１乃至１０のいずれか１項に記載のマニキュアまたはペディキュア装置において、当該装置全体の構造が、少なくとも一つの研磨面が設けられる同質の素材でなり、当該素材には、金属、プラスチック樹脂、ガラス、木、リサイクル素材、またはこれらの組合せが含まれることを特徴とするマニキュアまたはペディキュア装置。
【請求項１２】
請求項１乃至１１のいずれか１項に記載のマニキュアまたはペディキュア装置において、当該装置全体の構造は、少なくとも２つの層をラミネートすることにより製造され、少なくとも一つの層が、部材の適切なレベルの弾力性を提供する機能を有し、他の少なくとも一つの層が、研磨面を提供する機能を有することを特徴とするマニキュアまたはペディキュア装置。
【請求項１３】
請求項１０に記載のマニキュアまたはペディキュア装置において、少なくとも一つのラミネート層が、適正なクッション性能を提供する弾性のある発泡材またはこれと同質の構造を具え、マニキュア／ペディキュアを受ける人の爪にかかる過度な圧力を防ぐことを特徴とするマニキュアまたはペディキュア装置。
【請求項１４】
請求項１乃至１３のいずれか１項に記載のマニキュアまたはペディキュア装置において、前記装置の長さに沿った異なる範囲の機能が異なるように、当該装置の長手方向または短手方向の異なる範囲が、異なる特性を有する素材で形成されることを特徴とするマニキュアまたはペディキュア装置。
【請求項１５】
請求項１４に記載のマニキュアまたはペディキュア装置において、ある範囲に目の粗い研磨を提供し、他の範囲に目の細かい研磨または磨き／研ぐ能力を提供すべく、異なる範囲の研磨性能は変更可能であることを特徴とするマニキュアまたはペディキュア装置。
【請求項１６】
請求項１４に記載のマニキュアまたはペディキュア装置において、ある範囲に高いレベルの構造強度を提供し、他の範囲に高い弾力性を提供すべく、異なる範囲の強度性能は変更可能であることを特徴とするマニキュアまたはペディキュア装置。
【請求項１７】
請求項１乃至１６のいずれか１項に記載のマニキュアまたはペディキュア装置であって、前記長手方向の軸に沿って配置されたヒンジを少なくとも一つ具えることを特徴とするマニキュアまたはペディキュア装置。
【請求項１８】
請求項１乃至１７のいずれか１項に記載のマニキュアまたはペディキュア装置において、前記長手方向の軸に沿った少なくとも一つの範囲が、膨張する特性（auxetic properties）を有する素材で形成され、当該特性により２つの異なる軸に沿って湾曲する面を製造し得ることを特徴とするマニキュアまたはペディキュア装置。
【請求項１９】
マニキュアまたはペディキュア装置であって、長さと幅の比が少なくとも均一である伸長形状と、少なくとも一つの研磨面と、色彩が変化する特性を有する素材を含む少なくとも一つの範囲とを具えることを特徴とするマニキュアまたはペディキュア装置。
【請求項２０】
請求項１９に記載のマニキュアまたはペディキュア装置において、前記色彩の変化は、前記装置内の圧力あるいは温度レベルまたは水分のレベルが特定の限界値を超えるときに、可逆または不可逆的に起こることを特徴とするマニキュアまたはペディキュア装置。
【請求項２１】
請求項１９に記載のマニキュアまたはペディキュア装置において、前記色彩の変化が生じたときに、絵、ロゴ、または文字が現れることを特徴とするマニキュアまたはペディキュア装置。
【請求項２２】
請求項１９、２０、または２１に記載のマニキュアまたはペディキュア装置はまた、請求項１乃至１８に記載した特徴を具えることを特徴とするマニキュアまたはペディキュア装置。
【請求項２３】
マニキュアまたはペディキュア装置であって、長さと幅の比が少なくとも均一である伸長形状と、少なくとも一つの研磨面と、鏡面反射特性を有する少なくとも一つの範囲とを具えることを特徴とするマニキュアまたはペディキュア装置。
【請求項２４】
請求項２３に記載のマニキュアまたはペディキュア装置はまた、請求項１乃至２２に記載した特徴を具えることを特徴とするマニキュアまたはペディキュア装置。
【請求項２５】
マニキュアまたはペディキュア装置であって、長さと幅の比が少なくとも均一である伸長形状と、少なくとも一つの研磨面と、少なくとも一つのマイクロチップおよび少なくとも一つの電源とを具えることを特徴とするマニキュアまたはペディキュア装置。
【請求項２６】
請求項２５に記載のマニキュアまたはペディキュア装置において、前記電源が圧電性素材を含み、利用者の把持や操作より電流を生成することを特徴とするマニキュアまたはペディキュア装置。
【請求項２７】
請求項２５に記載のマニキュアまたはペディキュア装置において、前記チップは、様々な可聴メッセージを提供可能なサウンドチップであることを特徴とするマニキュアまたはペディキュア装置。
【請求項２８】
請求項２５に記載のマニキュアまたはペディキュア装置において、前記チップが発光ダイオードと共に動作し、種々の操作条件により照射することを特徴とするマニキュアまたはペディキュア装置。
【請求項２９】
請求項２５に記載のマニキュアまたはペディキュア装置において、前記チップが、１本以上の光ファイバ束を照射する発光ダイオードと、動画やホログラフィー映像を映写可能な単一あるいは複数レンズの映像プロジェクタと共に動作することを特徴とするマニキュアまたはペディキュア装置。
【請求項３０】
請求項２５乃至２９のいずれか１項に記載のマニキュアまたはペディキュア装置はまた、請求項１乃至２３に記載した特徴を具えることを特徴とするマニキュアまたはペディキュア装置。
【請求項３１】
マニキュアまたはペディキュア装置であって、長さと幅の比が少なくとも均一である伸長形状と、少なくとも一つの研磨面と、蛍光特性を有する少なくとも一つの範囲とを具えることを特徴とするマニキュアまたはペディキュア装置。
【請求項３２】
請求項３１に記載のマニキュアまたはペディキュア装置はまた、請求項１乃至３０に記載した特徴を具えることを特徴とするマニキュアまたはペディキュア装置。
【請求項３３】
添付した図面によるマニキュアまたはペディキュア装置。
【発明の詳細な説明】
【技術分野】
【０００１】
本発明は、一般に、マニキュアまたはペディキュアに関する。
【０００２】
一般に、通常の指の爪やすりとエメリーボードを含むマニキュア用具は、爪を磨くための平らな研磨面を具える。このような爪やすりやエメリーボードは通常、木材、圧縮された紙、プラスチック樹脂、発泡材等の平らな基材をラミネートする研磨紙を具える。研磨面を規定するギザギザや刻み目のある面を有する平らな金属製の爪やすりもまた、従来技術において利用可能である。
【発明の開示】
【発明が解決しようとする課題】
【０００３】
爪やすりを使用するとき、利用者の多くは、手の指や足の指を自然な形状とするために、湾曲した爪の形状を作ろうとする。これは、今のところ利用者が爪を磨くときに、爪またはやすりのいずれかを動かしおよび／または回転させる必要がある。この動作は、高いレベルの技術を必要とし、爪を磨くのに要する時間を増加し、高い集中力を必要とし、プロのマニキュア師に反復運動損傷（ＲＳＩ）を引き起してしまう。さらに、多くの利用者が片利きであるため、爪の形状が右手と左手で違ってしまう。
【０００４】
従来技術では、完全に丸いやすり米国２２２５５６７、多くの発泡材を有する可撓性のやすりおよび長手方向の断面が湾曲しているやすり英国７７８５１７を含む、これらの問題に関する多くの異なる解決方法が提案されている。しかしながらこれらの方法は、可撓性が不足しているため、爪の形状に沿って磨かないと利用者の爪にダメージを与え、残りの爪の量や美観に不都合を与え、さらには、英国７７８５１７に示されているように、やすりの片面しか利用することができない。
【０００５】
このため、前述した不都合を取り除くマニキュア装置の必要がある。したがって、これらの目的および他の目的は、改良されたマニキュア装置により達成される。
【課題を解決するための手段】
【０００６】
本発明は、図１−２に示すような１以上の長手方向の曲線を有するラミネートされたマニキュアまたはペディキュア装置の様々な異なる実施例を説明する。この曲線は、前述の問題を生じることなく、利用者が湾曲した爪の形状を作るのを補助するように設計されている。また、この曲線の設計は、やすりの長さを利用して、様々な方向から爪を削ることができ、爪のダメージを減らす実証済の方法である。ラミネートは、上面または下面のいずれかに研磨または研ぐための１以上の層と、様々な異なる材質で作られた１以上の可撓性の層およびまたは支持層とを含む。
【０００７】
図はまた、長手方向の曲線が、やすりの長さに沿ってどのように異なるのかを示している。したがって、利用者にさらなる利益を提供することには、個々の爪に特有の異なる曲線や、爪を研磨し、研ぎ、磨き、形を整えるために特別に設計された範囲と、より審美的または個性的な形状と、把持するのを補助し、利用者の負担を軽減し、爪の特定の部分に接近できるよう改良された人間工学的な形状とが含まれる。後者は、爪の形状や位置、利用者の器用さの欠如、または方法におけるその他の問題のため、手の指や足の指については困難である。これは特に、年配の利用者が、互いが密接し手が届き難い位置にある足の爪を研磨するときに当てはまる。
【０００８】
本発明のこれらおよび他の特徴は、以下の詳細な説明および添付した図面においてさらに説明される。
【発明を実施するための最良の形態】
【０００９】
図１−３は、本装置が有することができる様々な長手方向の断面形状を示している。これらの図には、可能な総ての形態を含まれてはおらず、本装置は、多くの異なる曲線、半径Ｒ、または直線部Ｓを有することができると解すべきである。半径Ｒは、０から１０００ｍｍ、各直線部は、０．１ｍｍから３００ｍｍとすることができる。
【００１０】
別の実施例では、本装置はまた、その長さに沿って捻れている。この捻れは、本装置の機能を改善し、特に、人間工学、美観、および機能を改善する。
【００１１】
前述した総ての設計は、１以上の可撓性または圧縮性素材の層を含み、爪を磨くときダメージを減らす。この層は、プラスチック樹脂、自然の発泡材、カード、木材、その他の可撓性の特質を有する素材から作ることができる。この層の可撓性は、やすりの長さに沿って変えることができ、代替的に、この層のいくつかの範囲を取り除いて、研磨層の可撓性のレベルを異ならせ、またはより大きく湾曲できるようにしてもよい。
【００１２】
図示されている上側および下側の層は、様々な目の粗さの研磨面、研ぎ面、およびまたは磨き面とすることができる。また、この上側およびまたは下側の層の材質およびまたは目の粗さは、長手方向または短手方向に変えることができる。例えば、目の粗さまたは材質は、装置の長さに沿って変えてもよい。
【００１３】
提案された前述の異なる形状は、プラスチック樹脂、カード、シーラント、木製の板、またはリサイクル素材のいずれかから作られる特別に成形された半硬質の支持部材および／またはプラスチック樹脂、カード、シーラント、木製の板、またはリサイクル素材から作られる成形された発泡材の層のいずれかにより可能である。さらに、支持と可撓性は、１つの材料により提供することができる。この支持およびまたは可撓性の層は、押し出し成形、プレス成形、熱プレス成形、または射出成形を含む排他的でない様々な方法により製造することができる。
【００１４】
好適な実施例では、研磨紙は、上記の長手方向の曲線を作るように曲げられる。この場合、高い圧力が研磨紙にかかる。このため、研磨部は、いくつかの方法により補強することができ、その一つの方法は、研磨紙の下面の最も損傷し易い範囲に補強テープを設けることである。
【００１５】
前述した主要な発明に加え、本発明はまた、限定ではなくさらに以下の目的を含めてもよい。
【００１６】
本発明のさらなる目的は、マニキュア道具の一部として鏡を提供することである。本発明のさらなる目的は、マニキュア具グリットの粗さを変えることにより研磨を改良するとともに、同じ装置でこのレベルを可変とするさらなる可能性を提供することである。本装置は、滑らかな部分と目の粗い部分の双方とを具えることができる。
【００１７】
本発明の別の目的は、多様な可撓性または１以上のヒンジを有することである。本発明のさらなる目的は、色彩の変更や、これに限らないが、マニキュア道具に刻み込まれた絵を形成する粒子など使用中に現れる成分を利用することにより、寿命を示すことである。
【００１８】
さらに別の本発明の目的は、利用者が装置の使用中に過度の圧力をかけたときに色が変化するリオクロム材（rheo-chromic material）を装置に含めて、爪およびまたはキューティクルのダメージを防止できることある。さらに別の本発明の目的は、マニキュア道具を特定の大きさや、これに限らないが、非対称のデザインなどの形状にすることができる。
【００１９】
装置の環境への影響を最小限にするために、装置のいかなる部材もリサイクル素材から作ることができる。さらに別の本発明の目的は、これに限らないが、マニキュア道具に組み込まれ様々な可聴メッセージを提供できるサウンドチップ、メモリチップを具える発光ダイオード、１本以上の光ファイバ束を照射する発光ダイオード、または動画やホログラフィー映像を映写することが可能な単一あるいは複数レンズの映像プロジェクタなどの様々な新しい特徴とを組み込むことである。
【００２０】
上記の説明は、請求項により規定される本装置の典型的な例を提供するものである。請求項に列挙されている本発明の目的から逸脱しないで、既に開示した本装置に様々な変更を加えることができる。前述した説明および図に示されている説明は、実施例であって限定する意図ではないと解すべきである。すなわち、多くの異なる実施例が詳細に説明されており、本発明のいずれの実施例も、他の実施例を組み合わせて利用することができると理解すべきである。さらに、本装置は爪の研磨専用であるが、本発明は、爪を研ぎ、形を整え、およびまたは磨くこともできると解釈すべきである。
【図面の簡単な説明】
【００２１】
【図１】図１は、本発明による改良されたマニキュアまたはペディキュア装置の様々な構造を示している。
【図２】図２は、改良された装置の様々な長手方向の断面を示している。
【図３】図３は、寸法記号が付された改良されたマニキュア装置の構造を示している。
【図１ａ】
2008517689.tif 000003
【図１ｂ】
2008517689.tif 000004
【図１ｃ】
2008517689.tif 000005
【図２ａ】
2008517689.tif 000006
【図２ｂ】
2008517689.tif 000007
【図２ｃ】
2008517689.tif 000008
【図３】
2008517689.tif 000009
【国際調査報告】
2008517689.tif 000010
2008517689.tif 000011
2008517689.tif 000012
2008517689.tif 000013
2008517689.tif 000014